(57)【要約】【課題】ハウジングに対する端子の組付性を向上することができるコネクタを提供する。【解決手段】ハウジング３と、このハウジング３の内部に設けられ撓み可能な係止ランス５を有する端子収容室７と、ハウジング３の一側面側から挿入され端子収容室７内に収容されて係止ランス５に係止される端子９と、ハウジング３の他側面側から挿入され係止ランス５の撓みを規制するフロントホルダ１１とを備えたコネクタ１において、フロントホルダ１１が、ハウジング３に挿入された状態で、係止ランス５の撓みを許容する仮係止位置と、係止ランス５の撓みを規制する本係止位置とを有し、フロントホルダ１１の端子９側に、仮係止位置で、端子収容室７に挿入される端子９を係止ランス５に係止される位置に案内する端子案内部１３を設けた。【選択図】図１０
2016046182.tif 000002
【特許請求の範囲】
【請求項１】
ハウジングと、このハウジングの内部に設けられ撓み可能な係止ランスを有する端子収容室と、前記ハウジングの一側面側から挿入され前記端子収容室内に収容されて前記係止ランスに係止される端子と、前記ハウジングの他側面側から挿入され前記係止ランスの撓みを規制するフロントホルダとを備えたコネクタであって、
前記フロントホルダは、前記ハウジングに挿入された状態で、前記係止ランスの撓みを許容する仮係止位置と、前記係止ランスの撓みを規制する本係止位置とを有し、
前記フロントホルダの前記端子側には、前記仮係止位置で、前記端子収容室に挿入される前記端子を前記係止ランスに係止される位置に案内する端子案内部が設けられていることを特徴とするコネクタ。
【請求項２】
請求項１記載のコネクタであって、
前記端子案内部は、前記端子側に向けて拡がるように傾斜された傾斜部を有することを特徴とするコネクタ。
【発明の詳細な説明】
【技術分野】
【０００１】
本発明は、コネクタに関する。
【背景技術】
【０００２】
従来、コネクタとしては、ハウジングと、このハウジングの内部に設けられ撓み可能な係止ランスを有する端子収容室と、ハウジングの一側面側から挿入され端子収容室内に収容されて係止ランスに係止される端子と、ハウジングの他側面側から挿入され係止ランスの撓みを規制するフロントホルダとを備えたものが知られている（例えば、特許文献１参照）。
【０００３】
このコネクタでは、ハウジングの一側面側から端子収容室内に端子を挿入し、係止ランスに端子を係止させた後、ハウジングの他側面側からフロントホルダを挿入し、係止ランスの撓みを規制することにより、端子収容室からの端子の抜け止めを行うことができる。
【先行技術文献】
【特許文献】
【０００４】
【特許文献１】特開平１０−１９９６０４号公報
【発明の概要】
【発明が解決しようとする課題】
【０００５】
ところで、上記特許文献１のようなコネクタでは、フロントホルダが、ハウジングに挿入された状態で、係止ランスの撓みを許容する仮係止位置と、係止ランスの撓みを規制する本係止位置とを有しており、フロントホルダが仮係止位置であるときに、端子が端子収容室内に挿入される。
【０００６】
この端子の端子収容室への挿入時に、端子が端子収容室に対して斜めに挿入されると、端子がフロントホルダの端子側の端面に突き当たる、或いは端子が係止ランスに正常に係止されないなど、ハウジングに対する端子の組付性が低下する恐れがあった。
【０００７】
そこで、この発明は、ハウジングに対する端子の組付性を向上することができるコネクタの提供を目的としている。
【課題を解決するための手段】
【０００８】
請求項１記載の発明は、ハウジングと、このハウジングの内部に設けられ撓み可能な係止ランスを有する端子収容室と、前記ハウジングの一側面側から挿入され前記端子収容室内に収容されて前記係止ランスに係止される端子と、前記ハウジングの他側面側から挿入され前記係止ランスの撓みを規制するフロントホルダとを備えたコネクタであって、前記フロントホルダは、前記ハウジングに挿入された状態で、前記係止ランスの撓みを許容する仮係止位置と、前記係止ランスの撓みを規制する本係止位置とを有し、前記フロントホルダの前記端子側には、前記仮係止位置で、前記端子収容室に挿入される前記端子を前記係止ランスに係止される位置に案内する端子案内部が設けられていることを特徴とする。
【０００９】
このコネクタでは、フロントホルダの端子側に、仮係止位置で、端子収容室に挿入される端子を係止ランスに係止される位置に案内する端子案内部が設けられているので、端子が端子収容室に対して斜めに挿入されても、端子案内部によって端子が端子収容室に対して正常な位置に案内されて収容される。
【００１０】
従って、このようなコネクタでは、端子の端子収容室への挿入時に、端子のフロントホルダの端子側の端面に対する突き当たりや端子の係止ランスに対する異常な係止などを防止することができ、ハウジングに対する端子の組付性を向上することができる。
【００１１】
請求項２記載の発明は、請求項１記載のコネクタであって、前記端子案内部は、前記端子側に向けて拡がるように傾斜された傾斜部を有することを特徴とする。
【００１２】
このコネクタでは、端子案内部が、端子側に向けて拡がるように傾斜された傾斜部を有するので、端子が端子収容室に対して斜めに挿入されても、端子が傾斜部に当接することにより、傾斜部に沿って端子を端子収容室に対して正常な位置に確実に案内することができる。
【発明の効果】
【００１３】
本発明によれば、ハウジングに対する端子の組付性を向上することができるコネクタを提供することができるという効果を奏する。
【図面の簡単な説明】
【００１４】
【図１】本発明の実施の形態に係るコネクタの分解斜視図である。
【図２】本発明の実施の形態に係るコネクタのハウジングの斜視図である。
【図３】（ａ），（ｂ）は本発明の実施の形態に係るコネクタのフロントホルダの斜視図である。
【図４】本発明の実施の形態に係るコネクタの斜視図である。
【図５】本発明の実施の形態に係るコネクタの斜視図である。
【図６】本発明の実施の形態に係るコネクタの一部を断面とした斜視図である。
【図７】本発明の実施の形態に係るコネクタのハウジングにフロントホルダを組付けるときの正面図である。
【図８】図７のＸ−Ｘ断面図である。
【図９】本発明の実施の形態に係るコネクタのハウジングに端子を組付けるときの正面図である。
【図１０】図９のＹ−Ｙ断面図である。
【図１１】図１０の要部拡大図である。
【図１２】本発明の実施の形態に係るコネクタの正面図である。
【図１３】図１２のＺ−Ｚ断面図である。
【発明を実施するための形態】
【００１５】
図１〜図１３を用いて本発明の実施の形態に係るコネクタについて説明する。
【００１６】
本実施の形態に係るコネクタ１は、ハウジング３と、このハウジング３の内部に設けられ撓み可能な係止ランス５を有する端子収容室７と、ハウジング３の一側面側から挿入され端子収容室７内に収容されて係止ランス５に係止される端子９と、ハウジング３の他側面側から挿入され係止ランス５の撓みを規制するフロントホルダ１１とを備えている。
【００１７】
また、フロントホルダ１１は、ハウジング３に挿入された状態で、係止ランス５の撓みを許容する仮係止位置と、係止ランス５の撓みを規制する本係止位置とを有する。
【００１８】
そして、フロントホルダ１１の端子９側には、仮係止位置で、端子収容室７に挿入される端子９を係止ランス５に係止される位置に案内する端子案内部１３が設けられている。
【００１９】
また、端子案内部１３は、端子９側に向けて拡がるように傾斜された傾斜部１５を有する。
【００２０】
図１〜図１３に示すように、コネクタ１は、ハウジング３と、端子収容室７と、端子９と、フロントホルダ１１とを備えている。
【００２１】
ハウジング３は、合成樹脂などの絶縁性材料からなり、筐体状に形成されている。このハウジング３の一側面側には、端子９を挿入可能な端子挿入部１７が設けられ、端子９が挿入されて内部に設けられた複数（ここでは２つ）の端子収容室７に収容される。
【００２２】
一方、ハウジング３の他側面側には、端子９のタブ状の接続部２３が挿入される箱状の接続部内に接点バネ部を有する雌型端子からなる相手端子（不図示）を収容する相手ハウジング（不図示）と嵌合可能なフード部１９が設けられている。
【００２３】
このハウジング３のフード部１９の底部側の内部には、複数の端子収容室７が位置され、各端子収容室７内に端子９を収容した状態で、フード部１９に相手ハウジングを嵌合することにより、端子９と相手端子とが電気的に接続される。
【００２４】
端子収容室７は、ハウジング３の幅方向に複数列（ここでは２列）配置されている。この端子収容室７には、端子挿入部１７から端子９が挿入され、フード部１９の底部側に設けられたタブ挿通口から端子９のタブ状の接続部２３が挿通し、フード部１９内に接続部２３が配置されるように端子９が収容される。
【００２５】
端子９は、導電性材料からなり、一端側に電源や機器などに接続された電線（不図示）に圧着されて電気的に接続される圧着部が設けられ、他端側に四角形状に形成された箱部２１が設けられ、この箱部２１の先端側に先細りとなるようにタブ状の接続部２３が設けられた雄型端子となっている。
【００２６】
なお、端子９の圧着部側には、電線の外周に密着して配置されるゴム栓２５が固定されており、ハウジング３に収容された状態で、ゴム栓２５が端子挿入部１７の内周面に密着することによってハウジング３内が防水される。
【００２７】
この端子９は、端子収容室７内の正規位置に配置された状態で、タブ状の接続部２３がタブ挿通口を挿通し、タブ状の接続部２３がハウジング３のフード部１９内に配置される。
【００２８】
この状態で、ハウジング３のフード部１９に相手ハウジングを嵌合させることにより、タブ状の接続部２３が相手端子の箱状の接続部内に挿入され、タブ状の接続部２３と箱状の接続部内の接点バネ部とが接触することによって、端子９と相手端子とが電気的に接続される。
【００２９】
このようにハウジング３の複数の端子収容室７内に収容される複数（ここでは２つ）の端子９は、各端子収容室７内に設けられた係止ランス５がそれぞれ箱部２１に係合することによって、端子収容室７からの端子９の抜け止めがなされている。
【００３０】
係止ランス５は、端子収容室７内の下壁側に撓み可能に設けられている。また、係止ランス５の自由端側には、端子９の箱部２１に係合される係止突部２７が設けられている。この係止ランス５は、端子９が端子挿入部１７から挿入されると、係止突部２７が端子９の箱部２１と当接して下方に向けて撓まされる。
【００３１】
そして、端子９が端子収容室７の正規位置に収容されると、係止ランス５が上方に向けて復元し、係止突部２７が箱部２１に係合して端子９の端子収容室７からの抜け止めを行う。
【００３２】
このような係止ランス５は、ハウジング３のフード部１９内に挿入されるフロントホルダ１１の挿入位置によって、撓みの許容と撓みの規制とが行われる。
【００３３】
フロントホルダ１１は、合成樹脂などの絶縁性材料からなり、凹状に形成され、両側壁と中央部とがリブ２９として設けられ、このリブ２９をハウジング３のフード部１９に設けられた溝部３１に係合されてハウジング３のフード部１９内に挿入される。
【００３４】
このフロントホルダ１１の両側壁であるリブ２９，２９には、それぞれ内壁面に係合部３３，３３が突設され、この係合部３３，３３がハウジング３の溝部３１に設けられた被係合部３５，３５にそれぞれ係合することによってフロントホルダ１１のハウジング３に対する挿入位置が保持される。
【００３５】
このフロントホルダ１１には、両側壁であるリブ２９，２９を連結するように規制部３７が連続する一部材で形成されている。この規制部３７は、フロントホルダ１１がハウジング３のフード部１９内に完全に挿入されると、係止ランス５の撓み空間（ここでは係止ランス５の下方）に挿入され、係止ランス５の撓みを規制して係止ランス５による端子９の係止が解除されることを防止する。
【００３６】
このようなフロントホルダ１１は、ハウジング３のフード部１９にある程度挿入され規制部３７が係止ランス５の撓み空間に挿入されずに係止ランス５の撓みを許容する仮係止位置と、ハウジング３のフード部１９に完全に挿入され規制部３７が係止ランス５の撓み空間に挿入されて係止ランス５の撓みを規制する本係止位置とを有する。
【００３７】
このフロントホルダ１１の仮係止位置では、規制部３７が係止ランス５の撓み空間に挿入されず、係止ランス５の撓みが許容されているので、ハウジング３の端子挿入部１７から端子９が端子収容室７内に挿入され、係止ランス５の係止突部２７が端子９の箱部２１に係合されて端子９を係止する。
【００３８】
一方、フロントホルダ１１の本係止位置では、規制部３７が係止ランス５の撓み空間に挿入され、係止ランス５の撓みが規制されているので、係止ランス５が撓むことがなく、係止ランス５の係止突部２７と端子９の箱部２１との係合が解除されることが防止される。
【００３９】
このようなコネクタ１では、端子９の端子収容室７への挿入時に、端子９が端子収容室７に対して斜めに挿入されると、端子９が仮係止位置にあるフロントホルダ１１の端子９側の端面に突き当たる、或いは端子９が係止ランス５に正常に係止されないなどの問題があった。
【００４０】
そこで、フロントホルダ１１の端子９側には、仮係止位置で、端子収容室７に挿入される端子９を係止ランス５に係止される位置に案内する端子案内部１３が設けられている。
【００４１】
端子案内部１３は、フロントホルダ１１の両側壁であるリブ２９，２９の端子９側の端面にそれぞれ設けられ、端子９側に向けて拡がるように傾斜された傾斜部１５を有する。
【００４２】
この端子案内部１３は、端子９が端子収容室７に対して斜めに挿入されると、傾斜部１５が端子９のタブ状の接続部２３と当接し、タブ状の接続部２３が傾斜部１５に沿って摺動しながら移動することにより、端子９が端子収容室７に対して正常な位置に案内されて収容される。
【００４３】
このため、端子９は、端子案内部１３によって端子収容室７に対して正常な位置に案内されて収容されるので、端子９を係止ランス５によって正常に係止することができる。
【００４４】
加えて、端子案内部１３は、端子９側の端面に設けられた傾斜部１５を有するので、端子９が斜めに挿入されても、フロントホルダ１１の端子９側の端面に対する端子９の突き当たりを防止することができる。
【００４５】
このようなコネクタ１では、フロントホルダ１１の端子９側に、仮係止位置で、端子収容室７に挿入される端子９を係止ランス５に係止される位置に案内する端子案内部１３が設けられているので、端子９が端子収容室７に対して斜めに挿入されても、端子案内部１３によって端子９が端子収容室７に対して正常な位置に案内されて収容される。
【００４６】
従って、このようなコネクタ１では、端子９の端子収容室７への挿入時に、端子９のフロントホルダ１１の端子９側の端面に対する突き当たりや端子９の係止ランス５に対する異常な係止などを防止することができ、ハウジング３に対する端子９の組付性を向上することができる。
【００４７】
また、端子案内部１３は、端子９側に向けて拡がるように傾斜された傾斜部１５を有するので、端子９が端子収容室７に対して斜めに挿入されても、端子９が傾斜部１５に当接することにより、傾斜部１５に沿って端子９を端子収容室７に対して正常な位置に確実に案内することができる。
【００４８】
なお、本発明の実施の形態に係るコネクタでは、端子が、箱部の先端側にタブ状の接続部を有する雄型端子となっているが、これに限らず、箱部内に撓み可能に接点バネ部が設けられた雌型端子であってもよい。
【００４９】
また、端子収容室は、ハウジングの幅方向に２列設けられているが、これに限らず、ハウジングの高さ方向に複数段設けるなど、端子収容室をハウジングに対して２つ以上設けてもよい。
【符号の説明】
【００５０】
１…コネクタ
３…ハウジング
５…係止ランス
７…端子収容室
９…端子
１１…フロントホルダ
１３…端子案内部
１５…傾斜部
【図１】
2016046182.tif 000003
【図２】
2016046182.tif 000004
【図３】
2016046182.tif 000005
【図４】
2016046182.tif 000006
【図５】
2016046182.tif 000007
【図６】
2016046182.tif 000008
【図７】
2016046182.tif 000009
【図８】
2016046182.tif 000010
【図９】
2016046182.tif 000011
【図１０】
2016046182.tif 000012
【図１１】
2016046182.tif 000013
【図１２】
2016046182.tif 000014
【図１３】
2016046182.tif 000015